【手続補正書】
【提出日】令和3年5月10日(2021.5.10)
【手続補正１】
【補正対象書類名】特許請求の範囲
【補正対象項目名】全文
【補正方法】変更
【補正の内容】
【特許請求の範囲】
【請求項１】
アセンブリライン成長ポッドであって、
播種器コンポーネントと収穫機コンポーネントとの間の長さに延在する軌道と、
前記播種器コンポーネントと前記収穫機コンポーネントとの間の前記軌道の長さに沿った複数の場所において前記軌道に隣接して配列される複数の給水ステーションと、
カートであって、前記カートは、前記カート内の前記播種器コンポーネントによって設置される種子が、前記収穫機コンポーネントにおいて収穫される植物物質に成長するように、前記軌道上に支持され、前記播種器コンポーネントから前記収穫機コンポーネントまで前記軌道に沿って移動可能である、カートと
を備え、
前記複数の給水ステーションのうちの各１つは、水が所定の成長メトリックにおいて前記カートに前記給水ステーションによって提供されるように、前記播種器コンポーネントと前記収穫機コンポーネントとの間に位置付けられる、
アセンブリライン成長ポッド。
【請求項２】
給水コンポーネントと、
前記給水コンポーネントと前記複数の給水ステーションのうちの各１つとの間で前記給水コンポーネントおよび前記複数の給水ステーションのうちの各１つに流体的に結合される１つ以上の水ラインと、
前記給水コンポーネントと前記複数の給水ステーションのうちの各１つとの間の前記１つ以上の水ラインに流体的に結合される１つ以上のポンプと
をさらに備える、請求項１に記載のアセンブリライン成長ポッド。
【請求項３】
前記給水コンポーネントと前記複数の給水ステーションのうちの各１つとの間の前記１つ以上の水ラインに流体的に結合される１つ以上の流量制御弁をさらに備える、請求項２に記載のアセンブリライン成長ポッド。
【請求項４】
前記軌道は、前記軌道の上昇部分が垂直方向において螺旋状になり、知覚される複数の床を作成するように配列され、
前記複数の給水ステーションのうちの各１つは、前記知覚される複数の床のうちの対応するものの上に配列される、
請求項１に記載のアセンブリライン成長ポッド。
【請求項５】
前記所定の成長メトリックは、ある期間における茎成長の量、ある期間における葉成長の量、ある期間において生産される果実の数、ある期間において生産される種子の数、およびある期間における質量増加の量から選択される、請求項１に記載のアセンブリライン成長ポッド。
【請求項６】
前記複数の給水ステーションのうちの各１つは、１つ以上の水出口を備え、前記１つ以上の水出口は、前記カートが前記複数の給水ステーションのうちの各１つに隣接して移動すると、１つ以上の水出口のうちの各１つが前記カートによって支持されるトレイの特定の面積と整合されるように、前記軌道の上方に位置付けられる、請求項１に記載のアセンブリライン成長ポッド。
【請求項７】
アセンブリライン成長ポッドであって、
ある長さに延在する軌道と、
前記軌道の長さに沿った複数の場所において前記軌道に隣接して位置付けられる複数の給水ステーションと、
前記軌道上に支持されるカートであって、前記カートは、その中に植物物質を保持する、カートと、
プロセッサと、非一過性記憶媒体とを備える、マスタコントローラであって、前記非一過性記憶媒体は、その上に記憶された１つ以上のプログラミング命令を有し、前記命令は、実行されると、前記プロセッサに、
前記複数の給水ステーションのうちの１つ以上のものに対する前記カートの場所を決定することと、
前記カート内に保持される前記植物物質の１つ以上の特性を決定することと、
前記カートの場所および前記植物物質の１つ以上の特性に基づいて、前記カートに供給されるべき水の量を決定することと、
前記カートに前記水を供給するべき前記複数の給水ステーションのうちの１つ以上のものを決定することと、
前記複数の給水ステーションのうちの１つ以上のものに信号を伝送することであって、前記信号は、前記カートが前記複数の給水ステーションのうちの１つ以上のもののそれぞれに隣接すると、前記複数の給水ステーションのうちの１つ以上のものに前記量の水を前記カートに供給させる、ことと
を行わせる、マスタコントローラと
を備える、アセンブリライン成長ポッド。
【請求項８】
実行されると、前記プロセッサに、前記植物物質の１つ以上の特性を決定させる、前記１つ以上のプログラミング命令はさらに、前記プロセッサに、
前記カートによって支持されるトレイ内の前記植物物質を識別することと、
前記カートによって支持されるトレイ内の種子の数を識別することと、
成長メトリックに従って前記植物物質が被った成長の量を決定することと
のうちの１つ以上を完了させる、請求項７に記載のアセンブリライン成長ポッド。
【請求項９】
前記１つ以上のプログラミング命令はさらに、実行されると、前記プロセッサに、レシピに基づく水投与量、供給されるべき水の所定の量、以前の水使用量に基づく修正されたレシピ、前記カート内に存在する水の量、または前記カート内に存在するはずである水の量を決定させる、請求項７に記載のアセンブリライン成長ポッド。
【請求項１０】
アセンブリライン成長ポッドにおける軌道上に支持されるカート上のトレイ内の植物物質に所定の量の水を供給する方法であって、前記方法は、
プロセッサによって、前記アセンブリライン成長ポッド内の前記軌道に隣接する複数の給水ステーションのうちの１つ以上のものに対する前記カートの場所を決定することと、
前記プロセッサによって、前記トレイ内の前記植物物質の１つ以上の特性を決定することと、
前記プロセッサによって、前記カートの場所および前記植物物質の１つ以上の特性に基づいて、前記トレイに供給されるべき水の量を決定することと、
前記プロセッサによって、前記トレイに前記水を供給するべき前記複数の給水ステーションのうちの１つ以上のものを決定することと、
前記プロセッサによって、前記複数の給水ステーションのうちの１つ以上のものに信号を伝送することであって、前記信号は、前記カートが前記複数の給水ステーションのうちの１つ以上のもののそれぞれに隣接すると、前記複数の給水ステーションのうちの１つ以上のものに前記量の水を前記トレイに供給させる、ことと
を含む、方法。
【請求項１１】
前記植物物質の１つ以上の特性を決定することは、前記トレイ内の前記植物物質を識別することを含む、請求項１０に記載の方法。
【請求項１２】
前記植物物質の１つ以上の特性を決定することはさらに、前記トレイ内の種子の数を識別することを含む、請求項１０に記載の方法。
【請求項１３】
前記植物物質の１つ以上の特性を決定することは、成長メトリックに従って前記植物物質が被った成長の量を決定することを含む、請求項１０に記載の方法。
【請求項１４】
前記プロセッサによって、レシピに基づく水投与量、供給されるべき水の所定の量、以前の水使用量に基づく修正されたレシピ、前記カート内に存在する水の量、または前記カート内に存在するはずである水の量を決定することをさらに含む、請求項１０に記載の方法。
【請求項１５】
前記トレイが前記複数の給水ステーションのうちの１つに隣接し、前記量の水を受容するように、前記軌道に沿って前記カートを移動させることをさらに含む、請求項１０に記載の方法。
【手続補正２】
【補正対象書類名】明細書
【補正対象項目名】０００６
【補正方法】変更
【補正の内容】
【０００６】
さらに別の実施形態では、アセンブリライン成長ポッドにおける軌道上に支持されるカート上のトレイ内の植物物質に所定の量の水を供給する方法は、プロセッサによって、アセンブリライン成長ポッド内の軌道に隣接する複数の給水ステーションのうちの１つ以上のものに対するカートの場所を決定するステップと、プロセッサによって、トレイ内の植物物質の１つ以上の特性を決定するステップと、プロセッサによって、カートの場所および植物物質の１つ以上の特性に基づいて、トレイに供給されるべき水の量を決定するステップと、プロセッサによって、トレイに水を供給するべき複数の給水ステーションのうちの１つ以上のものを決定するステップと、プロセッサによって、複数の給水ステーションのうちの１つ以上のものに信号を伝送するステップであって、信号は、カートが複数の給水ステーションのうちの１つ以上のもののそれぞれに隣接すると、複数の給水ステーションのうちの１つ以上のものに水の量をトレイに供給させる、ステップと含む。
本願明細書は、例えば、以下の項目も提供する。
（項目１）
アセンブリライン成長ポッドであって、
播種器コンポーネントと収穫機コンポーネントとの間の長さに延在する軌道と、
前記播種器コンポーネントと前記収穫機コンポーネントとの間の前記軌道の長さに沿った複数の場所において前記軌道に隣接して配列される複数の給水ステーションと、
カートであって、前記カートは、前記カート内の前記播種器コンポーネントによって設置される種子が、前記収穫機コンポーネントにおいて収穫される植物物質に成長するように、前記軌道上に支持され、前記播種器コンポーネントから前記収穫機コンポーネントまで前記軌道に沿って移動可能である、カートと
を備え、
前記複数の給水ステーションのうちの各１つは、水が所定の成長メトリックにおいて前記カートに前記給水ステーションによって提供されるように、前記播種器コンポーネントと前記収穫機コンポーネントとの間に位置付けられる、
アセンブリライン成長ポッド。
（項目２）
給水コンポーネントと、
前記給水コンポーネントと前記複数の給水ステーションのうちの各１つとの間で前記給水コンポーネントおよび前記複数の給水ステーションのうちの各１つに流体的に結合される１つ以上の水ラインと
をさらに備える、項目１に記載のアセンブリライン成長ポッド。
（項目３）
前記給水コンポーネントと前記複数の給水ステーションのうちの各１つとの間の前記１つ以上の水ラインに流体的に結合される１つ以上のポンプをさらに備える、項目２に記載のアセンブリライン成長ポッド。
（項目４）
前記給水コンポーネントと前記複数の給水ステーションのうちの各１つとの間の前記１つ以上の水ラインに流体的に結合される１つ以上の流量制御弁をさらに備える、項目２に記載のアセンブリライン成長ポッド。
（項目５）
前記軌道は、前記軌道の上昇部分が垂直方向において螺旋状になり、知覚される複数の床を作成するように配列され、
前記複数の給水ステーションのうちの各１つは、前記知覚される複数の床のうちの対応するものの上に配列される、
項目１に記載のアセンブリライン成長ポッド。
（項目６）
前記所定の成長メトリックは、ある期間における茎成長の量、ある期間における葉成長の量、ある期間において生産される果実の数、ある期間において生産される種子の数、およびある期間における質量増加の量から選択される、項目１に記載のアセンブリライン成長ポッド。
（項目７）
前記複数の給水ステーションのうちの少なくとも１つは、所定の量の水を前記カートまたは前記カートの区分に送達する１つ以上の給水マニホールドを備える、項目１に記載のアセンブリライン成長ポッド。
（項目８）
前記複数の給水ステーションのうちの少なくとも１つは、所定の量の水を前記カートまたはその区分に送達する１つ以上の蠕動ポンプを備える、項目１に記載のアセンブリライン成長ポッド。
（項目９）
前記複数の給水ステーションのうちの各１つは、１つ以上の水出口を備え、前記１つ以上の水出口は、前記カートが前記複数の給水ステーションのうちの各１つに隣接して移動すると、１つ以上の水出口のうちの各１つが前記カートによって支持されるトレイの特定の面積と整合されるように、前記軌道の上方に位置付けられる、項目１に記載のアセンブリライン成長ポッド。
（項目１０）
アセンブリライン成長ポッドであって、
ある長さに延在する軌道と、
前記軌道の長さに沿った複数の場所において前記軌道に隣接して位置付けられる複数の給水ステーションと、
前記軌道上に支持されるカートであって、前記カートは、その中に植物物質を保持する、カートと、
プロセッサと、非一過性記憶媒体とを備える、マスタコントローラであって、前記非一過性記憶媒体は、その上に記憶された１つ以上のプログラミング命令を有し、前記命令は、実行されると、前記プロセッサに、
前記複数の給水ステーションのうちの１つ以上のものに対する前記カートの場所を決定することと、
前記カート内に保持される前記植物物質の１つ以上の特性を決定することと、
前記カートの場所および前記植物物質の１つ以上の特性に基づいて、前記カートに供給されるべき水の量を決定することと、
前記カートに前記水を供給するべき前記複数の給水ステーションのうちの１つ以上のものを決定することと、
前記複数の給水ステーションのうちの１つ以上のものに信号を伝送することであって、前記信号は、前記カートが前記複数の給水ステーションのうちの１つ以上のもののそれぞれに隣接すると、前記複数の給水ステーションのうちの１つ以上のものに前記量の水を前記カートに供給させる、ことと
を行わせる、マスタコントローラと
を備える、アセンブリライン成長ポッド。
（項目１１）
実行されると、前記プロセッサに、前記植物物質の１つ以上の特性を決定させる、前記１つ以上のプログラミング命令はさらに、前記プロセッサに、前記カートによって支持されるトレイ内の前記植物物質を識別させる、項目１０に記載のアセンブリライン成長ポッド。
（項目１２）
実行されると、前記プロセッサに、前記植物物質の１つ以上の特性を決定させる、前記１つ以上のプログラミング命令はさらに、前記プロセッサに、前記カートによって支持されるトレイ内の種子の数を識別させる、項目１０に記載のアセンブリライン成長ポッド。
（項目１３）
実行されると、前記プロセッサに、前記植物物質の１つ以上の特性を決定させる、前記１つ以上のプログラミング命令はさらに、前記プロセッサに、成長メトリックに従って前記植物物質が被った成長の量を決定させる、項目１０に記載のアセンブリライン成長ポッド。
（項目１４）
前記１つ以上のプログラミング命令はさらに、実行されると、前記プロセッサに、レシピに基づく水投与量、供給されるべき水の所定の量、以前の水使用量に基づく修正されたレシピ、前記カート内に存在する水の量、または前記カート内に存在するはずである水の量を決定させる、項目１０に記載のアセンブリライン成長ポッド。
（項目１５）
アセンブリライン成長ポッドにおける軌道上に支持されるカート上のトレイ内の植物物質に所定の量の水を供給する方法であって、前記方法は、
プロセッサによって、前記アセンブリライン成長ポッド内の前記軌道に隣接する複数の給水ステーションのうちの１つ以上のものに対する前記カートの場所を決定することと、
前記プロセッサによって、前記トレイ内の前記植物物質の１つ以上の特性を決定することと、
前記プロセッサによって、前記カートの場所および前記植物物質の１つ以上の特性に基づいて、前記トレイに供給されるべき水の量を決定することと、
前記プロセッサによって、前記トレイに前記水を供給するべき前記複数の給水ステーションのうちの１つ以上のものを決定することと、
前記プロセッサによって、前記複数の給水ステーションのうちの１つ以上のものに信号を伝送することであって、前記信号は、前記カートが前記複数の給水ステーションのうちの１つ以上のもののそれぞれに隣接すると、前記複数の給水ステーションのうちの１つ以上のものに前記量の水を前記トレイに供給させる、ことと
を含む、方法。
（項目１６）
前記植物物質の１つ以上の特性を決定することは、前記トレイ内の前記植物物質を識別することを含む、項目１５に記載のアセンブリライン成長ポッド。
（項目１７）
前記植物物質の１つ以上の特性を決定することはさらに、前記トレイ内の種子の数を識別することを含む、項目１５に記載のアセンブリライン成長ポッド。
（項目１８）
前記植物物質の１つ以上の特性を決定することは、成長メトリックに従って前記植物物質が被った成長の量を決定することを含む、項目１５に記載のアセンブリライン成長ポッド。
（項目１９）
前記プロセッサによって、レシピに基づく水投与量、供給されるべき水の所定の量、以前の水使用量に基づく修正されたレシピ、前記カート内に存在する水の量、または前記カート内に存在するはずである水の量を決定することをさらに含む、項目１５に記載のアセンブリライン成長ポッド。
（項目２０）
前記トレイが前記複数の給水ステーションのうちの１つに隣接し、前記量の水を受容するように、前記軌道に沿って前記カートを移動させることをさらに含む、項目１５に記載のアセンブリライン成長ポッド。